(57)【要約】【課題】水回りに設置されるキャビネット本体と、そのキャビネット本体から引き出して内部に収容された物品の出し入れをすることが可能な物品収納棚とを備える収納付キャビネットであって、上下方向にも左右方向にも制約のある空間をより効果的に活用することが可能なように物品収納棚を設けた収納付キャビネットを提供すること。【解決手段】この収納付キャビネットは、物品収納棚ＲＣの一端側を回動可能に軸支し、トレイ部１２を凹部３０に対して収容し引き出すことを可能とする回動支持手段が設けられると共に、物品収納棚ＲＣの上部と凹部３０とが接する領域には物品収納棚ＲＣの前後方向の動きを規制する第一規制手段が設けられ、物品収納棚ＲＣの下部と凹部３０とが接する領域には物品収納棚ＲＣの上下方向の動きを規制する第二規制手段が設けられていることを特徴とする。【選択図】図３
2011072483.tif 000002
【特許請求の範囲】
【請求項１】
水回りに設置されるキャビネット本体と、そのキャビネット本体から引き出して内部に収容された物品の出し入れをすることが可能な物品収納棚とを備える収納付キャビネットであって、
前記物品収納棚は、前記キャビネット本体の手前側から奥側に凹むように設けられた凹部に収容され物品を納めることが可能なトレイ部と、このトレイ部の手前側に設けられ前記凹部の手前側開口部を覆うための隠蔽部とを有し、
前記物品収納棚の水平方向における一端側と前記凹部とが接する領域には、前記トレイ部及び前記隠蔽部の一端側を回動可能に軸支し、前記トレイ部を前記凹部に対して収容し引き出すことを可能とする回動支持手段が設けられると共に、
前記物品収納棚の上部と前記凹部とが接する領域には前記物品収納棚の前後方向の動きを規制する第一規制手段が設けられ、前記物品収納棚の下部と前記凹部とが接する領域には前記物品収納棚の上下方向の動きを規制する第二規制手段が設けられていることを特徴とする収納付キャビネット。
【請求項２】
前記第一規制手段は、前記凹部の手前側開口部の上部に設けられ上下方向に延びる立壁部と、前記物品収納棚のトレイ部の後方に設けられ上方向に突出する突起部とによって構成されていることを特徴とする請求項１に記載の収納付キャビネット。
【請求項３】
前記第二規制手段は、前記凹部の手前側開口部の下端から後方に延びる底板部と、前記物品収納棚のトレイ部の下部に設けられ前記底板部と当接する当接部とによって構成されていることを特徴とする請求項１又は２に記載の収納付キャビネット。
【請求項４】
前記回動支持手段は、前記物品収納棚の前記一端側に設けられた縦軸部と、前記凹部の手前側開口部において前記一端側に臨む側端に設けられた軸受部とによって構成され、前記軸受部に対して前記縦軸部は水平方向に引き離すことで取り外すことが可能であり、水平方向に押し込むことで取り付けることが可能なように形成されていることを特徴とする請求項１から３のいずれか１項に記載の収納付キャビネット。
【請求項５】
前記軸受部は前記キャビネット本体に対して取り外し可能なように構成されていることを特徴とする請求項４に記載の収納付キャビネット。
【発明の詳細な説明】
【技術分野】
【０００１】
本発明は、水回りに設置されるキャビネット本体と、そのキャビネット本体から引き出して内部に収容された物品の出し入れをすることが可能な物品収納棚とを備える収納付キャビネットに関する。
【背景技術】
【０００２】
洗面所やキッチンといった水回り空間においては、洗面や手洗関連の小物や化粧関連の小物、調理関連の小物が収納されることが想定されるため、そこに設置されるキャビネット本体には収納スペースの工夫が求められる。そのように収納スペースの工夫をしたものとして、下記特許文献１に記載のものや下記特許文献２に記載のものが提案されている。
【０００３】
下記特許文献１に記載の収納方式は、キャビネット本体の正面側が開放する凹部に設けられる網籠であって、カウンターから床面までの高さを有効活用すべく、凹部内に複数設けられているものである。この網籠は前方に引き出せるように回動可能に支持されており、凹部の複数の段に分けることで収納力を増やすものとしている。
【０００４】
一方、下記特許文献２に記載の収納方式は、キャビネット本体の正面側が開放する凹部に設けられる引き出し内に設けられるトレイであって、引き出し内の高さを有効活用すべく設けられているものである。このトレイは回動可能に支持されており、そのトレイ下部の収納スペースも使いやすくすることで収納力を増やすものとしている。
【先行技術文献】
【特許文献】
【０００５】
【特許文献１】特開２００２−３００９２６号公報
【特許文献２】特開２００９−１４８３８０号公報
【発明の概要】
【発明が解決しようとする課題】
【０００６】
ところで、洗面所やキッチンに設けられるキャビネットには、そこを有効活用すると洗面所やキッチンの収納力が改善すると思われる空間がある。例えば、洗面器やカウンターを支持するキャビネットでは、洗面器下方やカウンター下方であって、メインの収納凹部の上方に位置する空間が想定される。この空間は、奥側に洗面器やシンクが突出するため、奥側まで全てを収納空間とすることはできないけれども、少なくとも手前側の一部は収納空間として活用可能なものである。また、化粧鏡のように鏡が配置されるキャビネットでは、鏡が配置される領域は洗面ボウルからの水跳ねを避けるように、洗面ボウルから所定距離をおいて上方に配置される場合があり、鏡が配置される下方の空間は収納空間として活用可能な空間である。
【０００７】
しかしながら、上述した従来の技術はいずれも、既にある十分な収納力を有する空間をより効率的に活用するためのものであって、洗面器やカウンターを支持するキャビネットの洗面器下方やカウンター下方における隙間的な空間や、化粧鏡の鏡下方における隙間的な空間を活用するものではない。
【０００８】
本発明はこのような課題に鑑みてなされたものであり、その目的は、水回りに設置されるキャビネット本体と、そのキャビネット本体から引き出して内部に収容された物品の出し入れをすることが可能な物品収納棚とを備える収納付キャビネットであって、上下方向にも左右方向にも制約のある空間をより効果的に活用することが可能なように物品収納棚を設けた収納付キャビネットを提供することにある。
【課題を解決するための手段】
【０００９】
上記課題を解決するために本発明に係る収納付キャビネットは、水回りに設置されるキャビネット本体と、そのキャビネット本体から引き出して内部に収容された物品の出し入れをすることが可能な物品収納棚とを備える収納付キャビネットであって、前記物品収納棚は、前記キャビネット本体の手前側から奥側に凹むように設けられた凹部に収容され物品を納めることが可能なトレイ部と、このトレイ部の手前側に設けられ前記凹部の手前側開口部を覆うための隠蔽部とを有し、前記物品収納棚の水平方向における一端側と前記凹部とが接する領域には、前記トレイ部及び前記隠蔽部の一端側を回動可能に軸支し、前記トレイ部を前記凹部に対して収容し引き出すことを可能とする回動支持手段が設けられると共に、前記物品収納棚の上部と前記凹部とが接する領域には前記物品収納棚の前後方向の動きを規制する第一規制手段が設けられ、前記物品収納棚の下部と前記凹部とが接する領域には前記物品収納棚の上下方向の動きを規制する第二規制手段が設けられていることを特徴とする。
【００１０】
本発明では、キャビネット本体の手前側から奥側に凹むように設けられた凹部に収容され物品を納めることが可能なトレイ部と、このトレイ部の手前側に設けられ凹部の手前側開口部を覆うための隠蔽部とを有する物品収納棚を、凹部に対して収容し引き出すことが可能なように構成しているので、凹部を最大限に活用した収納スペースを形成することができ、トレイ部を凹部に収容した場合には隠蔽部で覆うことで面一のすっきりした外観とすることができる。また、物品収納棚の上方に物品収納棚の前後方向の動きを規制する第一規制手段を設けているので、物品収納棚が完全に凹部から引き出されてしまうことを確実に防止することができ、物品収納棚を引き出したり戻して収容したりといった動きが円滑に行われる。また、物品収納棚の下方に物品収納棚の上下方向の動きを規制する第二規制手段を設けているので、物品収納棚をスムーズに引き出したり収容したりすることが可能になると共に、物品収納棚を収容した際に隠蔽部を適切な位置に配置することができ、面一のすっきりした外観を維持することができる。更に、物品収納棚の前後方向及び上下方向の動きを規制する第一規制手段及び第二規制手段を適切な位置に設けることで、単純な構成でそれぞれの機能を十分に発揮させることができると共に、無駄な凹凸を減らすことでより清掃性に配慮した収納付キャビネットを提供することができる。
【００１１】
また本発明に係る収納付キャビネットでは、前記第一規制手段が、前記凹部の手前側開口部の上部に設けられ上下方向に延びる立壁部と、前記物品収納棚のトレイ部の後方に設けられ上方向に突出する突起部とによって構成されていることも好ましい。
【００１２】
この好ましい態様では、キャビネット本体の凹部に立壁部を設け、物品収納棚のトレイ部に突起部を設けているので、突起部を立壁部に係合させるような配置することで容易に第一規制手段を構成することができる。また、立壁部に突起部が係合する部分は立壁部の裏側に位置するので、使用者からは見え難い位置となり、立壁部に対する突起部の係合をより確実にするための手段を設けたとしても外観に影響しないため、第一規制手段の機能をより確実に発揮させるものとすることができる。
【００１３】
また本発明に係る収納付キャビネットでは、前記第二規制手段が、前記凹部の手前側開口部の下端から後方に延びる底板部と、前記物品収納棚のトレイ部の下部に設けられ前記底板部と当接する当接部とによって構成されていることも好ましい。
【００１４】
この好ましい態様では、キャビネット本体の凹部に底板部を設け、物品収納棚のトレイ部に当接部を設けているので、当接部を常に底板部に当接させ続け、当接部が底板部上を常に摺動させ続けることが可能となって、容易且つ確実に第二規制手段を構成することができる。第二規制手段としての底板部と当接部とは、当接部が底板部に当接することでその機能を発揮するので、底板部に凹凸を設ける必要がなく、使用者から見える領域をすっきりとした外観とすることができると共に清掃性も向上させることができる。
【００１５】
また本発明に係る収納付キャビネットでは、前記回動支持手段が、前記物品収納棚の前記一端側に設けられた縦軸部と、前記凹部の手前側開口部において前記一端側に臨む側端に設けられた軸受部とによって構成され、前記軸受部に対して前記縦軸部は水平方向に引き離すことで取り外すことが可能であり、水平方向に押し込むことで取り付けることが可能なように形成されていることも好ましい。
【００１６】
この好ましい態様では、キャビネット本体側に軸受部を設け、物品収納棚側に縦軸部を設けているので、縦軸部を保持するように構成されることで大型化しやすい軸受部をキャビネット本体側に配置することができ、物品収納棚をコンパクトな構成とすることができる。また、軸受部に対して縦軸部は水平方向に引き離すことで取り外すことが可能であり、水平方向に押し込むことで取り付けることが可能なように形成されているので、容易に物品収納棚を取り外して清掃することができる。
【００１７】
また本発明に係る収納付キャビネットでは、前記軸受部が前記キャビネット本体に対して取り外し可能なように構成されていることも好ましい。
【００１８】
この好ましい態様では、縦軸部を保持するように構成されることで経年劣化しやすい軸受部を取り外し可能なように構成することで、キャビネット本体を取り替えることなく軸受部のみを交換することが可能となって、容易に物品収納棚の機能を維持することができる。
【発明の効果】
【００１９】
本発明によれば、水回りに設置されるキャビネット本体と、そのキャビネット本体から引き出して内部に収容された物品の出し入れをすることが可能な物品収納棚とを備える収納付キャビネットであって、上下方向にも左右方向にも制約のある空間をより効果的に活用することが可能なように物品収納棚を設けた収納付キャビネットを提供することができる。
【図面の簡単な説明】
【００２０】
【図１】本発明の実施形態に係る収納付キャビネットの一例を示す図である。
【図２】本発明の実施形態に係る収納付キャビネットの一例を示す図である。
【図３】本発明の実施形態に係る収納付キャビネットの物品収納棚近傍を示す斜視図である。
【図４】図３に示す物品収納棚を裏面側から見た図である。
【図５】図４の部分拡大図である。
【図６】図３の分解図である。
【図７】キャビネット本体の軸受固定板に軸受部を取り付けた状態を示す図である。
【図８】物品収納棚に縦軸部を取り付けた状態を示す図である。
【発明を実施するための形態】
【００２１】
以下、添付図面を参照しながら本発明の実施の形態について説明する。説明の理解を容易にするため、各図面において同一の構成要素に対しては可能な限り同一の符号を付して、重複する説明は省略する。
【００２２】
本発明の実施形態に係る収納付キャビネットは、洗面所やキッチンに設けられるものであって、様々な態様のものに応用することができる。その一例を図１及び図２に示す。図１は、本発明の実施形態に係る収納付キャビネットＣ１を示す斜視図である。図２は、本発明の実施形態に係る収納付キャビネットＣ２を示す斜視図である。
【００２３】
図１に示す収納付キャビネットＣ１は、キッチン空間に設置されるものである。収納付キャビネットＣ１は、水栓ＦＣと、シンクＳＮと、カウンターＣＴと、フロアキャビネット本体ＣＢ１と、物品収納棚ＲＣ１とを備えている。水栓ＦＣはシンクＳＮに吐水するためのものであって、シンクＳＮは水栓ＦＣが吐出した水を受け止めて貯留することも可能なように構成されている。カウンターＣＴは、水栓ＦＣ及びシンクＳＮが取り付けられる部材であって、コンロといった他の部分と共に水栓ＦＣ及びシンクＳＮを支持する役割を果たしている。フロアキャビネット本体ＣＢ１は、カウンターＣＴを支持する箱状体であって、下部には収納スペースも設けられている。物品収納棚ＲＣ１は、カウンターＣＴの直下に設けられ、シンクＳＮ前のスペースを有効に活用できるように構成されている。
【００２４】
図２に示す収納付キャビネットＣ２は、洗面所空間に設置されるものであって、洗面器が取り付けられたフロアキャビネットの上方に設置されるものである。収納付キャビネットＣ２は、照明装置ＬＴと、鏡ＭＬと、化粧鏡キャビネット本体ＣＢ２と、物品収納棚ＲＣ２とを備えている。照明装置ＬＴは化粧鏡キャビネット本体ＣＢ２の最上部に取り付けられており、鏡ＭＬに姿を映す使用者を照らすように配置されている。物品収納棚ＲＣ２は、鏡ＭＬの直下に設けられ、鏡ＭＬ下のスペースを有効に活用できるように構成されている。
【００２５】
続いて、物品収納棚について図３を参照しながら詳述する。図３は、キャビネット本体ＣＢに取り付けられた物品収納棚ＲＣ近傍を説明するための部分的な斜視図である。図３に示すように、物品収納棚ＲＣは、キャビネット本体ＣＢから引き出して内部に収容された物品の出し入れをすることが可能なように構成されている。
【００２６】
物品収納棚ＲＣは、箱状のトレイ部１２と、トレイ部１２の前方に取り付けられている板状の隠蔽部１０とから構成されている。トレイ部１２は、キャビネット本体ＣＢの手前側から奥側に凹むように設けられた凹部３０に収容され物品を納めることが可能なものである。隠蔽部１０は、トレイ部１２の手前側に設けられ、凹部３０の手前側開口部を覆うことができるように構成されている。トレイ部１２が凹部３０内に収容された状態において、隠蔽部１０は凹部３０を覆うと共に、キャビネット本体ＣＢのキャビネット前板３２と面一になるように構成されている。
【００２７】
物品収納棚ＲＣの水平方向における一端側と凹部３０とが接する領域には、トレイ部１２及び隠蔽部１０の一端側を回動可能に軸支し、トレイ部１２を凹部３０に対して収容し引き出すことを可能とする回動支持手段が設けられている。回動支持手段の具体的な構成については後述する。尚、凹部３０とキャビネット前板３２との間にはラッチ３２ａが配置されている。ラッチ３２ａは、トレイ部１２が凹部３０内に収容されるように物品収納棚ＲＣが回転されると、隠蔽部１０に設けられた係合突起（図に明示しない）を挟み込んで保持するように構成されている。この状態から隠蔽部１０を押し込むと保持状態が解除され、物品収納棚ＲＣが前方に回動可能なように構成されている。
【００２８】
図４は、図３に示す物品収納棚ＲＣを裏面側から見た図である。図４に示すように、凹部３０の手前側開口部の上部には、上下方向に延びる立壁部３４が設けられている。一方、物品収納棚ＲＣのトレイ部１２の後方には、上方向に突出する突起部１２１が設けられている。凹部３０から物品収納棚ＲＣを手前側に引き出すと、突起部１２１が立壁部３４に当接して物品収納棚ＲＣがそれ以上前方に回動しないように規制する。従って、立壁部３４及び突起部１２１は、物品収納棚ＲＣの上部と凹部３０とが接する領域に設けられ、物品収納棚ＲＣの前後方向の動きを規制する第一規制手段として機能している。
【００２９】
また、図４に示すように、凹部３０の手前側開口部の下方には、凹部３０の手前側開口部の下端から後方に延びる底板部３６が設けられている。一方、物品収納棚ＲＣのトレイ部１２の後方且つ下部には底板部３６と当接する当接部１２２が設けられている。物品収納棚ＲＣを手前側に引き出したり奥に押し込んだりすると、当接部１２２は底板部３６の表面に倣って摺動し、物品収納棚ＲＣが下方に垂れ下がることなくスムーズに回動する。従って、底板部３６及び当接部１２２は、物品収納棚ＲＣの下部と凹部３０とが接する領域に設けられ、物品収納棚ＲＣの上下方向の動きを規制する第二規制手段として機能している。
【００３０】
図５は、図４に示す立壁部３４の拡大図であって、物品収納棚ＲＣの突起部１２１が当接する部分を示す図である。図５に示すように、立壁部３４には一対の固定突起３４１が設けられている。固定突起３４１は、突起部１２１が立壁部３４に当接した際にそれを保持するように設けられている。
【００３１】
図６は、図３に示す物品収納棚ＲＣ近傍の分解斜視図である。図６に示すように、キャビネット本体ＣＢの凹部３０よりも外側に形成されている軸受固定板３８には軸受部５０が取り付けられている。軸受部５０は、２本の固定ネジ５２で軸受固定板３８に固定されている（図７参照）。軸受部５０には上下に離隔した一対の固定部５０１が設けられている。固定部５０１は断面がＣ字状を成していて、縦軸部１４を挟み込むことが可能なように構成されている。図８に示すように、縦軸部１４は、物品収納棚ＲＣの隠蔽部１０の裏面に設けられた縦軸保持部１０１によって保持されている。
【００３２】
図６〜図８に示すように、物品収納棚ＲＣの一端側に設けられた縦軸部１４は、凹部３０の手前側開口部において一端側に臨む側端に設けられた軸受部５０によって回動支持手段が構成されている。軸受部５０に対して縦軸部１４は水平方向に引き離すことで取り外すことが可能であって、逆に水平方向に押し込むことで取り付けることが可能なように形成されている。
【００３３】
また、図６に示すように、軸受部５０はキャビネット本体ＣＢに対して取り外し可能なように構成されているので、軸受部５０が破損した場合であっても容易に交換することができる。
【符号の説明】
【００３４】
Ｃ１，Ｃ２：収納付キャビネット
ＣＢ１：フロアキャビネット本体
ＣＢ２：化粧鏡キャビネット本体
ＦＣ：水栓
ＳＮ：シンク
ＣＴ：カウンター
ＲＣ１，ＲＣ２：物品収納棚
ＬＴ：照明装置
ＭＬ：鏡
ＣＢ：キャビネット本体
ＲＣ：物品収納棚
１０：隠蔽部
１０１：縦軸保持部
１２：トレイ部
１２１：突起部
１２２：当接部
１４：縦軸部
３０：凹部
３２：キャビネット前板
３２ａ：ラッチ
３４：立壁部
３４１：固定突起
３６：底板部
３８：軸受固定板
５０：軸受部
５０１：固定部
５２：固定ネジ
【図１】
2011072483.tif 000003
【図２】
2011072483.tif 000004
【図３】
2011072483.tif 000005
【図４】
2011072483.tif 000006
【図５】
2011072483.tif 000007
【図６】
2011072483.tif 000008
【図７】
2011072483.tif 000009
【図８】
2011072483.tif 000010